(57)【要約】【課題】片棟屋根の棟側端部に通気孔を備えた化粧板を取り付けて屋根裏空間を換気する換気構成体において、通気孔から化粧板の内側に雨水が浸入し、下地材に付着して劣化させることを防止する。【解決手段】棟側端部２に取り付けられる棟化粧板５の通気孔５５の上方に、通気孔５５の直上空間を覆うようにして水切り板６を配置し、水切り板６の折れ部６２と棟化粧板５の側部被覆部５２内面との間に細幅の通気路ＡＬを設け、通気孔５５から流入した雨水が水切り板６で遮蔽されるように構成する。【選択図】図４
2015034391.tif 000002
【特許請求の範囲】
【請求項１】
片棟屋根の棟側端部に、棟側端部の上方を覆う上部被覆部と側方を覆う側部被覆部と下方を覆う下部被覆部を有していて当該下部被覆部に複数の通気孔が形成されてなる棟化粧板を取り付け、棟化粧板の通気孔を介して家屋の外側と屋根裏空間とを連通させた構成を有する片棟屋根の換気構成体において、
前記棟化粧板に形成された通気孔の上方に、棟側の端部を下向きに折り曲げた水切り板が配置され、この水切り板の下向きに折れた端部と棟化粧板の側部被覆部内面との間に細幅の通気路が設けられた構成を有することを特徴とする片棟屋根の換気構成体。
【請求項２】
棟化粧板の下部被覆部の下端部に、当該下端部から上方へ折り返されていて先端が棟側端部の下面に取り付け固定される下側取り付け面部が設けられ、この下側取り付け面部に水切り板が固定された構成を有することを特徴とする請求項１に記載の片棟屋根の換気構成体。
【発明の詳細な説明】
【技術分野】
【０００１】
本発明は、片棟屋根の棟側端部に、通気孔を備えた棟化粧板を取り付け、前記通気孔を通して家屋の屋根裏の空間を換気することができるように構成された換気構成体に関する。
【背景技術】
【０００２】
家屋の屋根裏の空間は夏場には７０度を超える高温になることから、屋根の軒天や妻、片棟屋根の棟側の部分などに換気口や通気孔を設け、これら換気口や通気孔を通して外気を屋根裏空間に取り入れる一方、前記空間内の空気が排出されるようにすることで、屋根裏の熱を逃がすようにしている。
【０００３】
従来、片棟屋根の棟側端部に設置される換気構成体として、例えば図６に示されるように、片棟屋根１００の棟側端部１０１に、棟側端部１０１の上方を覆う上部被覆部１０２ａと側方を覆う側部被覆部１０２ｂと下方を覆う下部被覆部１０２ｃを有していて下部被覆部１０２ｃに複数の通気孔１０２ｄが形成されてなる棟化粧板１０２を取り付け、屋根裏空間１０３に設けた通気路と前記通気孔１０２ｄを介して家屋の外側と屋根裏空間１０３とを連通させて、屋根裏空間１０３の換気が行えるようにした構造のものが知られている（例えば特許文献１，２参照）。
【先行技術文献】
【特許文献】
【０００４】
【特許文献１】特開２０１３−８３０５７号公報
【特許文献２】特開２００８−８１９６８号公報
【発明の概要】
【発明が解決しようとする課題】
【０００５】
片棟屋根１００の棟側端部１０１は屋根の頂点に位置しているため強風を受けやすく、また、軒下から吹き上がった風を受けることもあり、台風などの風雨が強い天候のときに、雨水が強風に煽られて通気孔１０２ｄから棟化粧板１０２の内側に浸入することがある。
【０００６】
通気孔１０２ｄは棟化粧板１０２の下部被覆部１０２ｃ内に形成されているので、通気孔１０２ｄの表面に風雨が直接吹き付けることは少なく、雨水が大量に棟化粧板１０２の内側に入り込むことはないが、少量であっても、通気孔１０２ｄから浸入した雨水が棟化粧板１０２で囲われた棟側端部１０１の下地材１０１ａの表面に付着して、下地材１０１ａの劣化を早めたり腐蝕を生じさせたりすることがある。
通気孔１０２ｄが屋外に露出している以上、通気孔１０２ｄから棟化粧板１０２の内側に雨水が浸入することは避けられないが、雨水の付着による下地材１０１ａの劣化の進行を抑止するには、下地材１０１ａに雨水を付着し難くする手段を棟化粧板１０２の内部に講じておくことが肝要である。
【０００７】
本発明は従来の技術の有するこのような問題点に鑑み、片棟屋根の棟側端部に取り付けられる換気構成体において、通気孔から棟化粧板の内側に浸入した雨水が下地材などの棟側端部構成部材に付着し難くいように構成することを課題とする。
【課題を解決するための手段】
【０００８】
前記課題を解決するため本発明は、片棟屋根の棟側端部に、棟側端部の上方を覆う上部被覆部と側方を覆う側部被覆部と下方を覆う下部被覆部を有していて当該下部被覆部に複数の通気孔が形成されてなる棟化粧板を取り付け、棟化粧板の通気孔を介して家屋の外側と屋根裏空間とを連通させた構成を有する片棟屋根の換気構成体において、
前記棟化粧板に形成された通気孔の上方に、棟側の端部を下向きに折り曲げた水切り板が配置され、この水切り板の下向きに折れた端部と棟化粧板の側部被覆部内面との間に細幅の通気路が設けられた構成を有することを特徴とする。
【０００９】
前記構成の換気構成体によれば、棟化粧板に設けた通気孔と屋根裏空間との間に形成される通気路を通して、外気を屋根裏空間に取り入れて屋根裏空間を換気することができる。
また、通気孔の上方には水切り板を配置してあり、この水切り板が通気孔から浸入した雨水の屋根裏空間へ流入を阻止する遮蔽板として機能するため、外気とともに棟化粧板の内側に入り込んだ雨水が棟側端部の下地材に付着したり屋根裏空間に流入したりすることはなく、前記下地材の雨水の付着による劣化や腐食の進行を抑えることができる。
強風に煽られて通気孔から浸入した雨水は、水切り板に衝突し、その表面を伝って下方へと流れ落ち、水切り板下方に位置する通気孔から外部へと排出される。また、通気孔から流入した外気は、水切り板の端部と棟化粧板の側部被覆部内面との間の細幅な空隙である通気路を通って屋根裏空間へと流入する。
【００１０】
前記構成の換気構成体において、水切り板は棟化粧板とは別体に形成して棟側端部に取り付けることができるが、棟化粧板の下部被覆部の下端部に、当該下端部から上方へ折り返されていて先端が棟側端部の下面に取り付け固定される下側取り付け面部を設け、この下側取り付け面部に水切り板を一体に固定しておけば、棟側端部に棟化粧板を取り付けることにより水切り板を設置することができて好ましい。
【図面の簡単な説明】
【００１１】
【図１】本発明の一実施形態の換気構成体を取り付けた片棟屋根の棟側端部の断面構成図である。
【図２】図１の換気構成体の棟化粧板の断面図である。
【図３】（Ａ），（Ｂ）は棟化粧板の下側被覆部の要部拡大図とＢ−Ｂ線断面図である。
【図４】図２の棟化粧板の下部拡大断面図である。
【図５】本発明の他の実施形態の換気構成体を取り付けた片棟屋根の棟側端部の断面構成図である。
【図６】換気機能を備えた従来の片棟屋根の棟側端部の断面構成図である。
【発明を実施するための形態】
【００１２】
本発明の好適な実施形態を、図面を参照して説明する。
図１は本発明の一実施形態の換気構成体を取り付けた片棟屋根の棟側端部の断面を示しており、これは片棟屋根１の棟側端部２を構成部材である下地材３に本形態の換気構成体４を取り付けて、屋根裏空間７の換気が行えるように構成されたものである。同図中、符号８は上部水切り板、９は外装材である。
【００１３】
本形態の換気構成体４は、棟化粧板５と、棟化粧板５に一体に取り付けられた水切り板６からなり、ともに例えば表面を塩化ビニル樹脂で覆うなどの耐蝕加工が施された被覆鋼板や、亜鉛鋼板などの耐蝕・耐火性を有する長尺の鋼板を、棟側端部２の下地材３に沿った長さでその長手方向に沿ってベンダーなどで折り曲げて形成してある。両部材を構成する鋼板としては、例えば厚み０．４ｍｍの鋼板の表面を０．２５ｍｍ厚の塩化ビニル樹脂シートで被覆し、裏面を０．１ｍｍ厚の塩化ビニル樹脂シートで被覆した樹脂被覆鋼板が好適である。
【００１４】
棟化粧板５は、図２に示されるように、棟側端部２の上方を覆う上部被覆部５１と、上部被覆部５１の棟側端部から下方へ屈曲させてなる棟側端部２の側方を覆う側部被覆部５２と、側部被覆部５２の下端部から軒側に向けて斜め下方へ傾斜させてなる棟側端部２の下方を覆う下部被覆部５３と、下部被覆部５３の下端部から上方へ折り返されていて先端が棟側端部２の下面に取り付け固定される下側取り付け面部５４とを備えるとともに、下部被覆部５３の面内にその長手方向に沿って細幅の通気孔５５を適宜な間隔を開けて複数並設して形成してある。
【００１５】
より詳しくは、上部被覆部５１の先端部には、下方へ屈曲していて棟側端部２の上面に固定された上部水切り板８に係合する係合片５１ａが設けてある。
下部被覆部５３の下端部に設けられた下側取り付け面部５４は、図４に示されるように、下部被覆部５３の下端部から上方へ屈曲した立ち上がり部５４ａと、立ち上がり面部５４ａの上端から下部被覆部５３と平行に内方へ折れた下側折れ面部５４ｂと、下側折れ面部５４ｂの端部から直角に屈曲して上方へ折れた中間折れ面部５４ｃと、中間折れ面部５４ｃの上端を下部被覆部５３と平行に外方へ屈曲して適宜な長さで突出した上側折れ面部５４ｄとからなり、中間折れ面部５４ｃの内側面に後述する水切り板６を一体に固定してある。
【００１６】
棟化粧板５に形成された通気孔５５は、図３に示されるように、スリット加工により、下部被覆部５３の面内であって、両側に切れ目を入れて細幅矩形状に縁取った部分を外側から内側へ短冊状に凹ませてなる凹段部５５ａとなっており、この凹段部５５ａの両側の段差部分にできる隙間５５ｂを通して外気を棟化粧板５内に取り込めるように設けてある。
また、通気孔５５の隙間５５ｂは凹段部５５ａの両側に位置しているため、風雨が通気孔５５に吹き付けたときに、凹段部５５ａの表面が雨水を遮蔽する遮蔽板として機能し、凹段部５５ａに衝突した雨水がその表面に付着し水滴となって下方へ流れ落ち、通気孔５５から棟化粧板５の内側への雨水の浸入を抑止し、且つ隙間５５ｂから外気を効率的に流入させることができるようになっている。また、通気孔５５は下方傾斜した下部被覆部５３に形成してあるので、仮に通気孔５５から棟化粧板５３内に雨水が浸入しても、雨水は傾斜した下部被覆部５３の内面を伝い下方へ流れ落ちて通気孔５５から外部へと排出されるようになっている。
【００１７】
水切り板６は、図４に示されるように、長尺な板材の一側に前記棟化粧板５の中間折れ面部５４ｃに接合する直角に屈曲した取り付け面部６１、他側に下向きに鋭角に折れ曲がった折れ部６２を設けて形成されており、前記取り付け面部６１を中間折れ面部５４ｃの内側面に重ね合わせ、且つ重合部分をビスなどの固着具１０で留め付けて、棟化粧板６に一体に取り付けてある。
水切り板６が取り付けられた棟化粧板５の下部被覆部５３は、図４に示されるように、通気孔５５の上方で水切り板６が平行に張り出して各通気孔５５の直上の空間が水切り板６で覆われ、また、水切り板６の端部である折れ部６２と棟化粧板５の側部被覆部５２の内面との間に細幅な通気路ＡＬが確保されるように設けてある。
【００１８】
換気構成体４の棟側端部２への取り付けは、棟側端部２の下地材３に棟化粧板５を宛がい、棟化粧板５の上部被覆部５１の係合片５１ａを上部水切り板８に係合させて取り付け位置を位置決めした状態で、側部被覆部５４に留めネジなどの固着具１０を打ち込み、また、前記係合片５１ａと上部水切り板８の係合部位に固着具１０を打ち込んで棟化粧板５を下地材３に固定するとともに、棟化粧板５の下側取り付け面部５４の上側折れ面部５４ｄを棟側端部２下方の下地材３の下面に接合し、重合部分に固着具１０を打ち込んで、棟側端部２に棟化粧板５を固定することにより行うことができる。
【００１９】
そして、図１に示されるように、固定された棟化粧板５の下部被覆部５３の内側に外装材１１を取り付け、外装材１１と下部被覆部５３との接合部分に沿ってシーシーリング材を塗布して止水処理をすることにより、棟側端部２の造作が完了する。
【００２０】
このように構成される本形態の換気構成体４によれば、棟化粧板５に形成された通気孔５５と屋根裏空間７とが通気路ＡＬを介して連絡し、通気孔５５から取り入れた外気を、通気路ＡＬを通して屋根裏空間７へと流入させて、屋根裏空間７を換気することができる。
【００２１】
風雨が強いときなどに通気孔５５から雨水が浸入することがあるが、通気孔５５の直上の空間が水切り板６で遮蔽されているので、浸入した雨水が屋根裏空間７へと流入して棟側端部２の下地材３に付着するようなことはなく、強風により通気孔５５から浸入した雨水の殆どが水切り板６に衝突して、水切り板６の折れ部６２から下方へ流れ落ち、その下の通気孔５５から棟化粧板５の外部へ排出させることができる。雨水の付着によって下地材３の劣化や腐蝕が進行することはない。
【００２２】
図５は本発明の換気構成体４を取り付けた他の棟側端部２の構成を示しており、これは、棟側端部２の下側に天井材１１を取り付けた構成のものである。
【００２３】
なお、図示した換気構成体４、棟化粧板５及び水切り板６は、本発明の実施形態の一例を示すものであり、本発明はこれらに限定されず、屋根の形態、寸法などに応じて、他の適宜な形態で構成することが可能である。
【符号の説明】
【００２４】
１  片棟屋根、２  棟側端部、３  下地材、４  換気構成体、５  棟化粧板、６  水切り板、７  屋根裏空間、８  上部水切り板、９  外装材、１０  固着具、１１  天井材、５１  上部被覆部、５２  側部被覆部、５３  下部被覆部、５４  下側取り付け面部、５５  通気孔
【図１】
2015034391.tif 000003
【図２】
2015034391.tif 000004
【図３】
2015034391.tif 000005
【図４】
2015034391.tif 000006
【図５】
2015034391.tif 000007
【図６】
2015034391.tif 000008